(57)【要約】【課題】被綴込物を綴じ込み易いファイルを提供する。【解決手段】表表紙２と裏表紙４とが対向するように折曲可能なファイル本体５を備える。このファイル本体５に綴じ具８を設ける。この綴じ具８は、ファイル本体５を折曲した状態にて裏表紙４の内側面から表表紙２側へ突出し被綴込物の綴じ孔に挿通可能な棒状の綴じピン部材６と、被綴込物を綴じ込み可能な位置に配置するガイド部材７とを有する。また、表表紙２に綴じピン部材６と係合可能な係合孔１２を設ける。綴じピン部材６の先端部近傍に係合孔１２を取り外し可能に係止できる係止部１３を設ける。ガイド部材７は、ファイル本体５を折曲した状態にて背表紙３に略平行な縦ガイド部１５と、この縦ガイド部１５に略垂直でありかつファイル本体５が折曲された状態にて裏表紙４に略垂直な横ガイド部１６とを有する。【選択図】図１
2010120259.tif 000002
【特許請求の範囲】
【請求項１】
表表紙と、背表紙と、裏表紙とが順次連設され、前記表表紙と前記裏表紙とが対向するように折曲可能なファイル本体と、
このファイル本体に設けられた綴じ具とを備え、
一側縁部に綴じ孔が形成された被綴込物を綴じ込むファイルであって、
前記綴じ具は、前記ファイル本体を折曲した状態にて前記表表紙および前記裏表紙のいずれか一方の表紙の内側面から他方の表紙側へ突出し、前記被綴込物の前記綴じ孔に挿通可能な棒状の綴じピン部材と、前記被綴込物を綴じ込み可能な位置に配置するガイド部材とを有し、
前記他方の表紙は、前記ファイル本体を折曲した状態にて前記綴じピン部材に対向する位置に前記綴じピン部材と係合可能な係合孔が設けられ、
前記綴じピン部材は、先端部近傍に前記係合孔を取り外し可能に係止できる係止部が設けられ、
前記ガイド部材は、前記ファイル本体を折曲した状態にて前記背表紙に略平行な縦ガイド部と、この縦ガイド部に略垂直でありかつ前記ファイル本体が折曲された状態にて前記一方の表紙に略垂直な横ガイド部とが設けられている
ことを特徴とするファイル。
【請求項２】
ガイド部材は、縦ガイド部および横ガイド部の少なくともいずれか一方の先端部に接続され、ファイル本体が折曲された状態にて表表紙または裏表紙に略平行な板状の規制部が設けられている
ことを特徴とする請求項１記載のファイル。
【請求項３】
ガイド部材は、基端部に縦ガイド部および横ガイド部に接続されるガイドベース部が設けられている
ことを特徴する請求項１または２記載のファイル。
【請求項４】
綴じピン部材の基端部の周囲には綴じピンベース部が一体に形成され、
前記綴じピンベース部とガイドベース部との間には連結部が一体に形成され、
この連結部にて前記綴じピン部材と前記ガイド部材とが連結されて一体に形成されている
ことを特徴とする請求項３記載のファイル。
【発明の詳細な説明】
【技術分野】
【０００１】
本発明は、例えば書類や収納ホルダ等の一側縁部に綴じ孔が形成された被綴込物を綴じ込むためファイルに関する。
【背景技術】
【０００２】
従来、このようなファイルとしては、表表紙と背表紙と裏表紙とが連設されたファイル本体と、前記表表紙と前記裏表紙との間に配置された綴じ込み手段と、この綴じ込み手段に保持された見出し片とを備え、前記綴じ込み手段は、前記裏表紙に支持されて前記表表紙側に向けられるピン軸と、前記表表紙側に設けられて前記ピン軸に係脱可能なスナップとを有する構成のものが知られている（例えば、特許文献１参照。）。
【特許文献１】特許第２８１４９６８号公報（第１−３頁、図２、図４）
【発明の開示】
【発明が解決しようとする課題】
【０００３】
しかしながら、上述した構成のファイルでは、被綴込物を綴じ込む際に、被綴込物を綴じ込み可能な位置に配設し難く、特に、複数の被綴込物を綴じ込む場合には、綴じ込まれる各被綴込物の相対的な位置関係がずれてしまうことにより、各被綴込物のそれぞれの綴じ孔の互いの位置がずれてしまい、ずれたまま綴じ孔にピン軸を挿通させようとすると、一部の被綴込物において、綴じ孔の範囲をはみ出した箇所にピン軸が挿通されようとすることにより、一部の綴じ孔が拡がってしまったり、所望しない綴じ孔にピン軸が挿通されてしまったりしてしまい、前記被綴込物を好適に綴じ込み難い問題が考えられる。
【０００４】
本発明はこのような点に鑑みなされたもので、被綴込物を綴じ込み易いファイルを提供する。
【課題を解決するための手段】
【０００５】
本発明は、表表紙と、背表紙と、裏表紙とが順次連設され、前記表表紙と前記裏表紙とが対向するように折曲可能なファイル本体と、このファイル本体に設けられた綴じ具とを備え、一側縁部に綴じ孔が形成された被綴込物を綴じ込むファイルであって、前記綴じ具は、前記ファイル本体を折曲した状態にて前記表表紙および前記裏表紙のいずれか一方の表紙の内側面から他方の表紙側へ突出し、前記被綴込物の前記綴じ孔に挿通可能な棒状の綴じピン部材と、前記被綴込物を綴じ込み可能な位置に配置するガイド部材とを有し、前記他方の表紙は、前記ファイル本体を折曲した状態にて前記綴じピン部材に対向する位置に前記綴じピン部材と係合可能な係合孔が設けられ、前記綴じピン部材は、先端部近傍に前記係合孔を取り外し可能に係止できる係止部が設けられ、前記ガイド部材は、前記ファイル本体を折曲した状態にて前記背表紙に略平行な縦ガイド部と、この縦ガイド部に略垂直でありかつ前記ファイル本体が折曲された状態にて前記一方の表紙に略垂直な横ガイド部とが設けられているものである。
【発明の効果】
【０００６】
本発明によれば、綴じ具は、ファイル本体を折曲した状態にて背表紙に略平行な縦ガイド部と、この縦ガイド部に略垂直でありかつ前記ファイル本体が折曲された状態にて一方の表紙に略垂直な横ガイド部とが設けられたガイド部材を有することにより、被綴込物を綴じ込む際に、被綴込物を前記縦ガイドと前記横ガイドとによって綴じ込み可能位置に配置できるので、前記被綴込物を綴じ込み易い。
【発明を実施するための最良の形態】
【０００７】
以下、本発明の一実施の形態の構成について図１ないし図４を参照しながら詳細に説明する。
【０００８】
図１に示すファイル１は、例えば、書類や収納ホルダ等の一側部に綴じ孔が形成された図示しない被収納物を綴じ込むためのものである。
【０００９】
ファイル１は、略矩形状の表表紙２と、略細長矩形状の背表紙３と、略矩形状の裏表紙４とが順次一体に連設されたファイル本体５を備えている。また、このファイル本体５には、一体に形成された綴じピン部材６およびガイド部材７を有する綴じ具８が設けられている。
【００１０】
ファイル本体５は、例えば合成樹脂等にて形成され、折曲線１１ａ，１１ｂ，１１ｃ，１１ｄが配設されている。折曲線１１ａは、表表紙２と背表紙３とを区切り、折曲線１１ｂは、背表紙３と裏表紙４とを区切っている。また、裏表紙４の折曲線１１ｂと折曲線１１ｃとの間に綴じ具８が設けられている。
【００１１】
ファイル本体５は、綴じ具８が設けられた面が内側となり、表表紙２と裏表紙４とが対向するように折曲線１１ａ，１１ｂにて折曲可能である。このように折曲した状態で、例えばデスクや棚等に収納される。また、折曲線１１ｃにて裏表紙４を外側へ折曲可能であり、折曲線１１ｄにて表表紙２を外側へ折曲可能である。
【００１２】
表表紙２は、ファイル本体５を折曲線１１ａ，１１ｂで折曲した状態にて、綴じピン部材６の先端縁と対向する位置に係合孔１２が設けられている。係合孔１２は、略円形状であり、綴じ具８の綴じピン部材６と係合可能である。
【００１３】
図２に示すように綴じ具８は、例えば合成樹脂等にて形成され、ファイル本体５を折曲した状態にて、裏表紙４の内側面から表表紙２側へ突出するように形成された綴じピン部材６を有している。この綴じピン部材６は、フランジ部６ａと支柱部６ｂと係止部１３とを有し、フランジ部６ａの外径は、係合孔１２の内径よりやや大きく、支柱部６ｂの外径は、係合孔１２の内径より著しく大きく構成された略円柱状である。また、綴じピン部材６は、係合孔１２と係合可能であり、かつ、被綴込物の綴じ孔に挿通可能である。さらに、係止部１３の外径は、フランジ部６ａの外径および支柱部６ｂの外径より小さく、かつ、係合孔１２の内径より小さい。このような係止部１３は、綴じピン部材６が係合孔１２に係合した状態にて、係合孔１２を取り外し可能に係止できる。
【００１４】
綴じピン部材６の裏表紙４側である基端部の周囲には、略矩形状の綴じピンベース部１４が、綴じピン部材６と一体に設けられている。
【００１５】
綴じ具８は、裏表紙４の内面側における背表紙３に隣接する側部の両端部、すなわち、裏表紙４の内面側における背表紙３側の両角部にガイド部材７が設けられている。このガイド部材７は、被綴込物を、ファイル１にて綴じ込み可能位置、すなわち、綴じピン部材６が被綴込物の綴じ孔を挿通可能な位置に配置させる。
【００１６】
ガイド部材７には、ファイル本体５を折曲した状態にて背表紙３に略平行であり、かつ、ファイル本体５を折曲した状態にて裏表紙４の内側面からこの裏表紙４に対して略垂直に形成された略矩形板状の縦ガイド部１５が設けられている。また、ガイド部材７には、縦ガイド部１５に略垂直であり、かつ、ファイル本体５を折曲した状態にて裏表紙４の内側面からこの裏表紙４に対して略垂直に形成された突設された略矩形板状の横ガイド部１６が設けられている。
【００１７】
また、ガイド部材７は、縦ガイド部１５および横ガイド部１６における裏表紙４とは反対側の先端部に、板状の規制部１７が一体に接続されている。この規制部１７は、ファイル本体５を折曲した状態にて表表紙２および裏表紙４に略平行であり、縦ガイド部１５の一部と横ガイド部１６の一部とに規制部１７の２辺が接している。さらに、規制部１７の縦ガイド部１５と横ガイド部１６の一部とに接しない辺が段状の線を形成している。
【００１８】
さらに、ガイド部材７は、縦ガイド部１５および横ガイド部１６の裏表紙４側の基端部に略矩形板状のガイドベース部１８が一体に形成されている。このガイドベース部１８は、裏表紙４に略平行に形成され、規制部１７の延長線上には、この規制部１７と同様の形状の切込１９が形成されている。
【００１９】
そして、ガイド部材７は、縦ガイド部１５、横ガイド部１６、規制部１７およびガイドベース部１８にて一部を省略した箱状、すなわち、６つの面にて形成された箱体の隣接する２面が省略され、この２面に隣接する１面の一部が切り欠かれた形状に形成されている。
【００２０】
したがって、綴じ具８にて被綴込物を綴じ込むと、図３に示すように、二点鎖線で示す被綴込物の角部を縦ガイド部１５、横ガイド部１６、規制部１７およびガイドベース部１８にて囲むような状態になる。
【００２１】
綴じピンベース部１４とガイドベース部１８との間には、綴じピンベース部１４およびガイドベース部１８より幅方向の長さが短い細長板状の連結部２０が形成され、この連結部２０により綴じピン部材６とガイド部材７とが連結されて一体に形成されている。また、綴じピンベース部１４および連結部２０の背表紙３側の端部には、縦ガイド部１５に接続するベース規制部２１が一体に形成されている。
【００２２】
綴じ具８は、綴じピンベース部１４、ガイドベース部１８および連結部２０にて裏表紙４の折曲線１１ｂ，１１ｃ間に例えば接着剤や溶着等により接合されている。
【００２３】
図４はファイル１に二点鎖線で示す被綴込物が綴じ込まれた状態を示す部分断面図であるが、図４に示すように、ファイル１は、二点鎖線で示す被綴込物の綴じ孔に綴じピン部材６を挿通させ、ファイル本体５が折曲線１１ａ，１１ｂにて折曲され、かつ、綴じピン部材６と係合孔１２との係合が係止部１３にて係止されて被綴込物が綴じ込まれて保持される。またこのような状態で例えば棚やデスク等に収納される。
【００２４】
次に、上記一実施の形態の作用および効果を説明する。
【００２５】
ファイル１に被綴込物を綴じ込む際には、ファイル本体５を折曲線１１ａ，１１ｂにて折曲された状態から広げた状態にする。
【００２６】
この際、綴じ具８の綴じピン部材６とファイル本体５の係合孔１２とが係合し、この係合状態を係止部１３にて係止されているので、一定範囲以上ファイル本体５を広げると、係止部１３の係止力によりファイル本体５が広がり難くなるが、そのまま係止部１３の係止力に抗してファイル本体５を広げることにより、係止部１３による係止を解除する。
【００２７】
また、係止部１３による係止を解除するとともに、綴じピン部材６と係合孔１２との係合を解除し、図１に示すようなファイル本体５を広げた状態にする。
【００２８】
被綴込物の角部をガイド部材７に合わせるように被綴込物を配設する。すなわち、図３に示すように、規制部１７とガイドベース部１８との間に被綴込物の角部を挿入し、被綴込物の綴じ孔側の一側部を縦ガイド部１５に合わせ、この一側部の交差方向に延びる端部を横ガイド部１６に合わせるように、被綴込物を裏表紙４上に配設する。
【００２９】
また、被綴込物を裏表紙４上へ配設するとともに、綴じピン部材６に被綴込物の綴じ孔を挿通する。
【００３０】
ファイル本体５を折曲線１１ａ，１１ｂにて折曲し、ファイル本体５の係合孔１２に綴じピン部材６を挿入して綴じピン部材６と係合孔１２とを係合させる。この際、綴じピン部材６の外径は、係合孔１２の内径よりよりやや大きいので、ファイル本体５の係合孔１２近傍を綴じピン部材６側へ押圧するように押し込み、係合孔１２の内径を拡げてフランジ部６ａを乗り越えさせて、綴じピン部材６と係合孔１２とを係合する。
【００３１】
また、綴じピン部材６と係合孔１２との係合と一連して、係合孔１２を綴じピン部材６の係止部１３の位置まで押し下げると、係合孔１２は、係合孔１２の内径が拡げられる前の状態に戻り、図４に示すように係止部１３にて係合孔１２を係止し、被綴込物が綴じ込まれた状態を保持する。
【００３２】
なお、支柱部６ｂの外径は係合孔１２の内径より著しく大きいため、係合孔１２の内径を支柱部６ｂの外径よりも大きく拡げることはできず、係合孔１２を支柱部６ｂに沿って係止部１３より基端部側へ押し下げることはできないため、係止部１３にて係合孔１２を係止した状態が維持される。
【００３３】
ファイル１に綴じ込まれた被綴込物と取り外す際には、係止部１３の係止力に抗してファイル本体５を広げ、係止部１３の係止を解除するとともに、係合孔１２の径を拡げてフランジ部６ａを乗り越えさせて綴じピン部材６を係合孔１２から抜き、綴じピン部材６と係合孔１２との係合を解除する。
【００３４】
被綴込物は、綴じ孔に綴じピン部材６が挿通されているだけの状態であるので、被綴込物を取り外す。
【００３５】
そして、このようなファイル１によれば、綴じ具８は、ファイル本体５を折曲した状態にて背表紙３に略平行な縦ガイド部１５と、この縦ガイド部１５に略垂直でありかつファイル本体５が折曲された状態にて、裏表紙４に略垂直な横ガイド部１６とが設けられたガイド部材７を有していることにより、被綴込物を綴じ込む際に、縦ガイド部１５に被綴込物における綴じ孔側の一側部を合わせ、横ガイド部１６に被綴込物における一側部の交差する方向にのびる端部を合わせることによって、被綴込物を綴じ込み可能位置、すなわち、被綴込物の綴じ孔に綴じピン部材６が挿通可能な位置に配置できる。したがって、被綴込物を綴じ込む際に、被綴込物を正確な位置に配置した状態を保持でき、被綴込物を綴じ込み易い。
【００３６】
特に、一側部に複数の綴じ孔が設けられた被綴込物は、各綴じ孔に綴じピン部材６を挿通可能であるので、複数の被綴込物を順次綴じ込む際には、綴じピン部材６に挿通する綴じ孔を間違え、綴じ込まれた各被綴込物同士の相対位置がずれてしまうおそれがあるが、縦ガイド部１５および横ガイド部１６にて各被綴込物を同様に綴じ込み可能位置に配置できるので、各被綴込物の同じ綴じ孔に綴じピン部材６を挿通でき、順次綴じ込まれる各被綴込物を正確に綴じ込み易い。
【００３７】
また、複数の被綴込物を同時に綴じ込む際には、縦ガイド部１５および横ガイド部１６にて複数の被綴込物の位置を揃えることができ、複数の被綴込物同士の位置を揃えた状態で、複数の被綴込物の綴じ孔に綴じピン部材６を挿通できるので、被綴込物を綴じ込み易い。
【００３８】
さらに、綴じピン部材６と係合孔１２とを係合し、係合孔１２を係止部１３にて係止する際や、係止部１３による係止を解除して綴じピン部材６と係合孔１２との係合を解除する際に、縦ガイド部１５および横ガイド部１６にて被綴込物を保持できるので、被綴込物を容易に綴じ込むことができる。
【００３９】
また、綴じ具８は、裏表紙４の内面側における背表紙３に隣接する側部の両端部にガイド部材７を有することにより、被綴込物の綴じ孔側の一側部の両端部にて、被綴込物の位置を合わせることができるので、被綴込物をより確実に綴じ込み可能位置に配置できる。
【００４０】
ファイル本体５に折曲線１１ｃ，１１ｄが設けられることにより、ファイル１に被綴込物を綴じ込み、係合孔１２を係止部１３にて係止した状態にて、折曲線１１ｃにて裏表紙４を外側へ折曲でき、折曲線１１ｄにて表表紙２を外側へ折曲できるので、ファイル１の被綴込物を閲覧、検索し易い。
【００４１】
ガイド部材７には、縦ガイド部１５および横ガイド部１６における裏表紙４とは反対側の端部に接続され、裏表紙４と略平行な規制部１７が設けられていることにより、綴じピン部材６に綴じ孔が挿通された被綴込物の裏表紙４の対向方向への移動を規制でき、被綴込物が綴じ込み可能な位置に配置された状態を保持できる。
【００４２】
特に、係止部１３による係合孔１２の係止状態を解除する際には、係止力に抗してファイル本体５を広げるため、係止が解除される際の衝撃等にて被綴込物が移動して綴じピン部材６から抜け落ちてしまうおそれがあるが、規制部１７により、被綴込物の移動を規制できるので、被綴込物が綴じピン部材６から抜け落ちることを防止できる。
【００４３】
また、規制部１７により綴じ込まれる被綴込物の量を規制できるので、被綴込物を綴じ込み過ぎることにより、これらの被綴込物の厚みでファイル１が膨らみ外観を損ねることを防止できる。
【００４４】
ガイド部材７には、縦ガイド部１５および横ガイド部１６に一体的に形成されたガイドベース部１８が設けられていることにより、ガイド部材７が一部を省略した箱状に形成されるので、ファイル１の背表紙３側の角部、すなわち、背表紙３の長手方向の両端部近傍の強度を向上できる。したがって、例えばファイルがデスクや棚等に収納された状態では、ファイル１の背表紙３側の角部にファイル１および被綴込物の重量がかかることが想定されるが、ファイル１の背表紙３側の角部をガイドベース部１８にて強度が向上したガイド部材７によって補強でき、被綴込物およびファイル本体５の変形を防止できる。
【００４５】
また、ガイドベース部１８を大きく形成することにより、このガイドベース部１８にてガイド部材７をファイル本体５に接合できるので、ガイド部材７を安定かつ強固に取り付けることができるとともに、ファイル１や被綴込物の重量によるファイル本体５の変形を抑制できる。
【００４６】
綴じピン部材６に綴じピンベース部１４が設けられていることにより、綴じピン部材６をファイル本体５に安定かつ強固に取り付けることができるので、被綴込物を確実に綴じ込むことができる。
【００４７】
綴じピンベース部１４とガイドベース部１８とが、連結部２０にて連結されることにより、綴じピン部材６およびガイド部材７のファイル本体５に対する接合面積を大きくできるので、綴じピン部材６とガイド部材７とをより安定かつ強固に取り付けることができる。また、一体に形成された綴じピンベース部１４、ガイドベース部１８および連結部２０にてファイル本体５の強度を向上できるので、例えば、ファイル１を背表紙３の長手方向が上下方向となる状態等にしても、ファイル本体５を撓み難くでき、ファイル本体５および被綴込物の変形や破損を抑制できる。さらに、綴じピンベース部１４とガイドベース部１８と連結部２０とを一体に形成することにより、製造における工数を大幅に削減できる。
【００４８】
綴じピンベース部１４および連結部２０の背表紙３側の端部にベース規制部２１が設けられることにより、裏表紙４から背表紙３方向への被綴込物の位置を縦ガイド部１５とともにベース規制部２１にて規制して、被綴込物を綴じ込み可能な位置により正確に配置できるとともに、被綴込物の移動も規制できるので、被綴込物をより綴じ込み易くできる。
【００４９】
なお、上記一実施の形態では、綴じピンベース部１４、ガイドベース部１８および連結部２０を裏表紙４に接合することによりファイル本体５に綴じ具８が設けられる構成としたが、このような構成には限定されず、綴じ具８がファイル本体５上に設けられていれば、例えば、縦ガイド部１５およびベース規制部２１を背表紙３に接合する構成等にてしてもよい。
【００５０】
また、綴じ具８は、表表紙２または裏表紙４における背表紙３に隣接する側部の両端部にガイド部材７を有する構成とすることにより、被綴込物をより確実に綴じ込み可能位置に配置できるので好ましいが、このような構成には限定されず、ガイド部材７は、表表紙２または裏表紙４における背表紙３に隣接する側部の両端部のうち少なくとも一方の端部に設けられていればよい。
【００５１】
ファイル本体５は、表表紙２、背表紙３および裏表紙４が一体に形成された構成には限定されず、別体のシートを接合することにより形成される構成等としてもよい。また、ファイル本体５は、表表紙２と裏表紙４とが対向するように折曲可能であれば、折曲線１１ａ，１１ｂを設ける構成には限定されない。さらに、ファイル本体５に折曲線１１ｃ，１１ｄが設けられた構成にすることにより、被綴込物を閲覧、検索し易いので好ましいが、このような構成には限定されず、折曲線１１ｃ，１１ｄを設けない構成にしてもよい。
【００５２】
綴じピン部材６は、円柱状の構成には限定されず、棒状であり、被綴込物の綴じ孔および係合孔１２に挿通可能な形状であれば、例えば、四角柱状、三角柱状等にて適宜形成できる。
【００５３】
また、綴じピン部材６が係合孔１２より大径に形成され、係止部１３が係合孔１２より小径に形成された構成には限定されず、係止部１３にて綴じピン部材６と係合孔１２とを取り外し可能に係止できる構成であれ、例えば、綴じピン部材６が係合孔１２より小径に形成され、係止部１３が係合孔１２より大径に形成された構成等でもよい。
【００５４】
また、綴じピン部材６の基端部に綴じピンベース部１４が設けられた構成には限定されず、綴じピンベース部１４を設けない構成にしてもよい。
【００５５】
ガイド部材７は、規制部１７が設けられた構成とすることにより、被綴込物の裏表紙４の対向方向への移動を規制でき、被綴込物が抜け落ちることを防止できるので好ましいが、このような構成には限定されず、規制部１７を設けない構成にしてもよい。
【００５６】
また、規制部１７を設ける場合は、縦ガイド部１５および横ガイド部１６の端部に接続された構成には限定されず、縦ガイド部１５および横ガイド部１６の少なくともいずれか一方に接続されていればよい。
【００５７】
さらに規制部１７は、段状に形成された構成には限定されず、例えば、矩形や三角形や円弧状等にて適宜設定できる。
【００５８】
ガイド部材７は、縦ガイド部１５および横ガイド部１６と一体にガイドベース部１８が設けられた構成とすることにより、ファイル１の背表紙３側の角部の強度を向上でき、被綴込物およびファイル本体５の変形を防止できるので好ましいが、このような構成には限定されず、ガイドベース部１８を設けない構成としてもよい。
【００５９】
縦ガイド部１５および横ガイド部１６は、略矩形板状の構成とすることにより、規制部１７を形成し易いので好ましいが、このような呼応製には限定されず、縦ガイド部１５およおび横ガイド部１６は、例えば、三角形の板状や円弧の板状等にて適宜設定できる。また、縦ガイド部１５と横ガイド部１６とのそれぞれの形状が異なっていてもよい。
【００６０】
綴じ具８は、綴じピンベース部１４とガイドベース部１８とが連結部２０にて連結され、綴じピン部材６とガイド部材７とが、一体に形成された構成には限定されず、連結部２０を設けずに、綴じピン部材６とガイド部材７とを別個に形成し、それぞれファイル本体５に接合する構成としてもよい。
【００６１】
また、綴じピンベース部１４および連結部２０にベース規制部２１が設けられた構成には限定されず、ベース規制部２１を設けない構成にしてもよい。
【図面の簡単な説明】
【００６２】
【図１】本発明のファイルにおける一実施の形態を示す斜視図である。
【図２】同上ファイルにおける綴じ具を示す部分斜視図である。
【図３】同上ファイルにおける被綴込物が配設された状態を示す部分斜視図である。
【図４】同上ファイルにける被綴込物が綴じ込まれた状態を示す部分断面図である。
【符号の説明】
【００６３】
１    ファイル
２    表表紙
３    背表紙
４    裏表紙
５    ファイル本体
６    綴じピン部材
７    ガイド部材
８    綴じ具
１２  係合孔
１３  係止部
１４  綴じピンベース部
１５  縦ガイド部
１６  横ガイド部
１７  規制部
１８  ガイドベース部
２０  連結部
【図１】
2010120259.tif 000003
【図２】
2010120259.tif 000004
【図３】
2010120259.tif 000005
【図４】
2010120259.tif 000006